(57)【特許請求の範囲】
【請求項１】
浴室に散水自在な散水手段を設け、前記浴室に洗浄用洗剤を噴霧自在な洗剤噴霧手段を設けてある浴室洗浄装置であって、
前記浴室内の空気を対流自在な送風機を設け、前記送風機・散水手段・洗剤噴霧手段の各運転を制御すると共に、前記散水手段による散水時や、前記洗剤噴霧手段による洗剤噴霧時に、前記送風機を駆動運転制御する制御手段を設けてある浴室洗浄装置。
【請求項２】
前記浴室内の温度を高める昇温手段を設けてある請求項１に記載の浴室洗浄装置。
【請求項３】
前記昇温手段は、前記送風機によって送り出される空気の温度を高める温風加温手段である請求項２に記載の浴室洗浄装置。
【請求項４】
前記昇温手段は、前記散水手段から浴室内に散水される水の温度を高める水加温手段である請求項２に記載の浴室洗浄装置。
【請求項５】
前記昇温手段は、前記洗剤噴霧手段から浴室内に噴霧される洗剤の温度を高める洗剤加温手段である請求項２に記載の浴室洗浄装置。
【請求項６】
前記昇温手段は、前記送風機によって送り出される空気の温度を高める温風加温手段、前記散水手段から浴室内に散水される水の温度を高める水加温手段、前記洗剤噴霧手段から浴室内に噴霧される洗剤の温度を高める洗剤加温手段の内の二つ、または、すべての組み合わせである請求項２に記載の浴室洗浄装置。
【発明の詳細な説明】
【０００１】
【発明の属する技術分野】
本発明は、浴室に散水自在な散水手段を設け、前記浴室に洗浄用洗剤を噴霧自在な洗剤噴霧手段を設けてある浴室洗浄装置に関する。
【０００２】
【従来の技術】
従来、この種の浴室洗浄装置としては、前記散水手段を散水ノズルで構成すると共に、前記洗剤噴霧手段を噴霧ノズルで構成し、何れのノズルも、広範囲に水や洗剤を散布できるように首振り機構を備えたもので構成してあるものがあった。
そして、浴室洗浄に当たっては、散水ノズルから水を吹き出して、浴室の壁や浴槽を濡らした後、同様に、噴霧ノズルから洗剤を噴霧して、浴室の壁や浴槽の汚れを取り、その後、再度、水を吹き付けることですすぎを行い、その後、浴室の換気扇をつけて換気することで乾燥するという洗浄行程をとるものがあった。
【０００３】
【発明が解決しようとする課題】
上述した従来の浴室洗浄装置によれば、各ノズルを首振りさせることで、ノズル散布の対象範囲を広げるものであるが、ノズルが向かない範囲には、洗浄水や洗剤が行き渡りにくく、例えば、浴室内での浴室洗浄装置の取付位置によっては、シャワーやカラン、浴槽の周壁立ち上がり等の陰になった部分や、浴室の隅部分や物入れの凹部、及び、天井部分等に洗い残しが発生し易い問題点があった。また、立方体形状以外に変形させた変形浴室が洗浄対象となる場合には、更に、洗い残しが発生し易い。
【０００４】
従って、本発明の目的は、上記問題点を解消し、浴室全域に洗浄水や洗剤が行き渡りやすく、洗い残しが生じ難い浴室洗浄装置を提供するところにある。
【０００５】
【課題を解決するための手段】
請求項１の発明の特徴構成は、図２・４・８に例示するごとく、浴室Ｒに散水自在な散水手段３を設け、前記浴室Ｒに洗浄用洗剤Ｓを噴霧自在な洗剤噴霧手段４を設けてある浴室洗浄装置において、前記浴室Ｒ内の空気を対流自在な送風機５を設け、前記送風機５・散水手段３・洗剤噴霧手段４の各運転を制御すると共に、前記散水手段による散水時や、前記洗剤噴霧手段による洗剤噴霧時に、前記送風機を駆動運転制御する制御手段７を設けてあるところにある。
【０００６】
請求項１の発明の特徴構成によれば、前記送風機によって浴室内の空気を対流させることができ、その対流状態で散水手段から洗浄水を吹き出したり、洗剤噴霧手段から洗剤を吹き出すことによって、前記洗浄水や洗剤（以後、単に噴霧流体という）は、対流に乗って浴室の隅々にまで行き渡ることが可能となり、シャワーやカラン、浴槽の周壁立ち上がりがあっても、浴室内全域に前記噴霧流体を充満させることが可能となる。
従って、前記散水手段による散水時や、前記洗剤噴霧手段による洗剤の噴霧時に、前記送風機による対流が発生するように前記制御手段によって各構成の運転を制御することができ、その結果、洗い残しの生じ難い状態に浴室洗浄を実施することが可能となる。
また、従来のように、ノズルからの吹き出し力のみで、前記噴霧流体を洗浄対象部分に到達させるのに比べて、当該発明によれば、浴室内の空気の対流による力を利用できるから、小さい吹き出し力で前記噴霧流体を吹き出しても、前記送風機による対流に乗って隅々まで到達させることができるから、前記散水手段や洗剤噴霧手段の省電力化を図ることが可能となる。
更には、前記噴霧流体は、送風機そのものにも達することができるから、送風機の洗浄をも合わせて実施することが可能となり、より維持管理を実施しやすくなる。
【０００７】
請求項２の発明の特徴構成は、図２・４・８に例示するごとく、前記浴室Ｒ内の温度を高める昇温手段６を設けてあるところにある。
【０００８】
請求項２の発明の特徴構成によれば、請求項１の発明による作用効果を叶えることができるのに加えて、浴室内の温度を高めることによって、浴室内の壁面や床面や天井面の温度をも高めることが可能となるから、洗浄作用の活性化を図り、より汚れを落としやすくして洗浄効果を向上させることが可能となる。
更には、洗浄後の残留熱によって、乾燥を促進することが可能となるので、浴室内を速く乾燥させて、カビの発生を防止することが可能となる。
また、昇温手段６を利用することで、浴室洗浄とは無関係に、浴室の乾燥や、浴室の暖房等を実施することが可能となる。
【０００９】
請求項３の発明の特徴構成は、図２・４・８に例示するごとく、前記昇温手段６は、前記送風機５によって送り出される空気の温度を高める温風加温手段６Ａであるところにある。
【００１０】
請求項３の発明の特徴構成によれば、請求項２の発明による作用効果を叶えることができるのに加えて、電熱線等の比較的に簡単な装備によって実施できる他、短時間で浴室の昇温を図ることが可能となる。また、加温した浴室内空気は、循環させて浴室内温度の上昇に繰り返し使用できるため、加温した熱を無駄なく利用することができ、高い加温効率を確保することが可能となる。
即ち、浴室洗浄における省エネルギー性を向上させることが可能となる。
【００１１】
請求項４の発明の特徴構成は、図２・４・８に例示するごとく、前記昇温手段６は、前記散水手段３から浴室Ｒ内に散水される水の温度を高める水加温手段６Ｃであるところにある。
【００１２】
請求項４の発明の特徴構成によれば、請求項２の発明による作用効果を叶えることができるのに加えて、前記水加温手段で加温された温水を前記散水手段によって浴室に散水するに伴って、前記温水からの蒸気や湯気が、前記送風機による対流に乗って浴室内に行き渡り、より好適に浴室洗浄を果たすことが可能となる。
また、取付箇所が浴室であることから、浴室給湯装置を水加温手段として兼用化する等の方法を採用することが可能となり、設備コストの高騰を抑えることが可能となる。
【００１３】
請求項５の発明の特徴構成は、図２・４・８に例示するごとく、前記昇温手段６は、前記洗剤噴霧手段４から浴室Ｒ内に噴霧される洗剤の温度を高める洗剤加温手段６Ｂであるところにある。
【００１４】
請求項５の発明の特徴構成によれば、請求項２の発明による作用効果を叶えることができるのに加えて、噴霧される洗剤の粘性を低下させ易くなり、洗剤を、より細かな霧状にした状態で噴霧させ、浴室全域にまわりやすくすることが可能となる。
【００１５】
請求項６の発明の特徴構成は、図２・４・８に例示するごとく、前記昇温手段６は、前記送風機５によって送り出される空気の温度を高める温風加温手段６Ａ、前記散水手段３から浴室Ｒ内に散水される水の温度を高める水加温手段６Ｃ、前記洗剤噴霧手段４から浴室Ｒ内に噴霧される洗剤Ｓの温度を高める洗剤加温手段６Ｂの内の二つ、または、すべての組み合わせであるあるところにある。
【００１６】
請求項６の発明の特徴構成によれば、請求項２の発明による作用効果を叶えることができるのに加えて、
前記請求項３の発明の特徴構成によるのと同様に、浴室洗浄における省エネルギー性を向上させることが可能となることや、前記請求項４の発明の特徴構成によるのと同様に、より好適に浴室洗浄を果たすことが可能となることや、前記請求項５の発明の特徴構成によるのと同様に、洗剤を、浴室全域にまわりやすくして洗浄効果を向上させることが可能となることと言った各効果の内の二つ、又は、すべてを叶えることが可能となる。
その結果、経済性・洗浄効果の高い浴室洗浄を叶えることが可能となる。
【００１７】
尚、上述のように、図面との対照を便利にするために符号を記したが、該記入により本発明は添付図面の構成に限定されるものではない。
【００１８】
【発明の実施の形態】
以下に本発明の実施の形態を図面に基づいて説明する。尚、図面において従来例と同一の符号で表示した部分は、同一又は相当の部分を示している。
【００１９】
〔第一実施形態〕
図１は、本発明の浴室洗浄装置の一つ目の実施形態品（以後、単に浴室洗浄装置という）Ｂ１を設置した浴室Ｒを示すものである。
【００２０】
浴室Ｒは、洗い場Ｒ１と、浴槽Ｒ２とを備え、図には示さないが、シャワーや水洗や、混合水洗等が、装備されている。
そして、壁体１に、貫通する状態に前記浴室洗浄装置Ｂ１を設置してある。
また、前記壁体１を隔てた室外側には、前記浴室Ｒに給湯自在な給湯装置２を設置してある。
【００２１】
浴室洗浄装置Ｂ１は、図２に示すように、浴室Ｒに散水自在な散水手段３を設け、前記浴室Ｒに洗浄用洗剤Ｓを噴霧自在な洗剤噴霧手段４を設け、前記浴室Ｒ内の空気を対流自在な送風機５を設け、前記浴室Ｒ内の温度を高める昇温手段６を設け、前記散水手段３・洗剤噴霧手段４・送風機５・昇温手段６の各運転を制御する制御手段７を設けて構成してある。
前記散水手段３・洗剤噴霧手段４・送風機５・昇温手段６・制御手段７は、前記壁体１に形成した貫通孔１ａに内嵌状態に設置自在な箱形状のケースＫに納められており、浴室洗浄装置Ｂ１の操作は、前記ケースＫとは別に設けられたリモコン８によって実施できるものである。
尚、前記ケースＫは、室内側・室外側の何れからでも、露出部を着脱して内部を開閉できるように構成してあり、点検や部品の交換や、洗剤Ｓの補給等を適宜実施できるものである。そして、前記壁体１に対しては、シーリングを使用して気密を保持する状態に取り付けられている。
また、ケースＫの室内側カバー部には、室内空気の循環用の吸込部Ｋａ・吹出部Ｋｂとを形成してある一方、ケースＫの室外側カバー部には、給水配管９、及び、前記給湯装置２からの給排湯配管１０が、それぞれ貫通する状態に設けてある。因みに、前記給湯装置２は、単に湯を沸かして送り出すのみならず、温水コイルを経由して戻ってきた湯を再度加熱して送り出す温水循環機能を備えたものである。
前記吸込部Ｋａ・吹出部Ｋｂは、それぞれ、横長の開口部によって構成してあり、吸込部Ｋａが上段、吸込部Ｋｂが下段に配置してある。
また、リモコン８は、前記浴室洗浄装置Ｂ１と送受信自在に構成されており、浴室内、浴室外の何れからでも前記浴室洗浄装置Ｂ１を操作することができるものである。
【００２２】
前記散水手段３は、給水配管９の受入端部に設けられた制御バルブ３ａ、及び、前記制御バルブ３ａの開操作に伴って送り込まれた水Ｗを、浴室Ｒ内に霧状にして吹き出す散水ノズル３ｂを備えて構成してある。
【００２３】
前記洗剤噴霧手段４は、前記ケースＫに備えた洗剤タンク４ａと、その洗剤タンク４ａに補給された液体洗剤Ｓを送り出す洗剤ポンプ４ｂと、洗剤ポンプ４ｂからの洗剤Ｓを浴室Ｒ内に霧状にして吹き出す複数の洗剤ノズル４ｃとを備えて構成してある。
前記散水ノズル３ｂ、及び、洗剤ノズル４ｃは、何れも前記吹出部Ｋｂ付近に浴室内を臨む状態で、横方向に間隔をあけて配置してある。従って、霧状に吹き出された水Ｗや洗剤Ｓが、前記吹出部Ｋｂから吐出される空気の対流に乗って浴室内に広く行き渡り易くなる。
【００２４】
前記送風機５は、横軸芯周りに回転駆動自在に形成した回転筒状翼５ａからなる遠心式送風機で構成してあり、前記吹出部Ｋｂの奥側に沿わせて配置してある。送風機５を駆動させることによって、前記吸込部Ｋａから浴室内空気を浴室洗浄装置Ｂ１内に吸い込むと共に、前記吹出部Ｋｂから吹き出すことができ、浴室内に対流を発生させることが可能となる。
【００２５】
前記昇温手段６は、横長形状の温水コイル６ａで構成してあり、前記給排湯配管１０の内の給湯配管１０ａから送られる湯を通過させ、排湯配管１０ｂへ排出する間に、前記送風機５の駆動に伴って装置内を通過する空気と熱交換し、送り出す空気温度を高めることで、浴室室内温度を昇温するように構成してある。
前記温水コイル６ａは、前記吸込部Ｋａに沿う状態に配置してある。
また、温水コイル６ａによって暖められた空気は、前記洗剤タンク４ａ内の洗剤Ｓをも昇温させることができ、当該昇温手段６は、前記送風機５によって送り出される空気の温度を高める温風加温手段６Ａと、前記洗剤噴霧手段４から浴室Ｒ内に噴霧される洗剤の温度を高める洗剤加温手段６Ｂとを兼用している。
【００２６】
前記制御手段７は、前記リモコン８からの入力指令を受けて、前記散水手段３・洗剤噴霧手段４・送風機５・昇温手段６の各駆動運転を制御できるように構成してある。尚、前記吸込部Ｋａ付近には、浴室内温度を計測自在な温度センサ１１を設けてあり、この温度センサ１１の計測値は、前記制御手段７において検知できるように構成してある。
前記リモコン８からの入力指令は、浴室洗浄指令と、浴室乾燥指令と、浴室暖房指令の三つがある。
以下、前記三つの指令に基づいた制御について説明する（図３参照）。
【００２７】
浴室洗浄指令を受けた場合は、
［１］  前記給湯装置２の給湯運転を開始させて、前記温水コイル６ａ内に湯を循環させると共に、前記送風機５の送風駆動を開始させる（送風行程）。
この行程によって、浴室内を昇温させることによって洗浄対象部の温度をも上昇させ、後行程での洗浄効果の促進を図れるようにするものである。
この送風駆動は、以後の行程も共通して、前記温度センサ１１で計測された温度が所定値に達した後は、前記給湯装置２の運転を調整し、前記所定温度を維持できるようにするものである。
［２］  浴室内温度が所定値に達するか、若しくは、所定時間経過した後、前記送風機５の送風駆動を継続させた状態で、前記制御バルブ３ａを開き、前記散水ノズル３ｂから散水を開始する。
散布された霧状の水Ｗは、前記送風機５によって生じた対流に乗って、浴室の隅々に達し、天井や壁や洗い場や浴槽の表面を濡らし、後工程の洗剤噴霧時に汚れが浮き出しやすい環境を作る（散水行程）。
［３］  次に、前記散水手段３による水散布に替えて、洗剤噴霧行程に移る。洗剤Ｓの噴霧行程においても、前記送風機５の温風循環は継続させるものである。洗剤Ｓの噴霧は、前記洗剤ポンプ４ｂを駆動させて、前記洗剤ノズル４ｃから洗剤Ｓを吹き出すことで実施される。吹き出された霧状の洗剤Ｓは、散水行程と同様に、前記送風機５による対流に乗って、浴室の隅々に達し、洗浄対象表面に付いた状態で汚れを落としながら、落下して排水口から排出される。
［４］  そして、次は、濯ぎ行程にかかるわけであるが、実質的な制御は、［２］と同様である。
［５］  洗浄対象面に付着した洗剤Ｓを落としたら、散水を停止し、前記送風機５による温風吹き出しを継続し、浴室乾燥を図る（乾燥行程）。この際、換気扇を駆動させて換気する。
【００２８】
一方、浴室乾燥指令を受けた場合は、
前記［１］の行程と、換気扇の駆動を行う。
また、浴室暖房指令を受けた場合は、前記［１］の行程を行う。
【００２９】
〔第二実施形態〕
図４は、本発明の浴室洗浄装置の二つ目の実施形態品（以後、単に浴室洗浄装置という）Ｂ２を設置した浴室Ｒを示すものであるが、前記第一実施形態と異なる構成にしぼって説明する。
【００３０】
浴室洗浄装置Ｂ２は、浴室内に設置した第一装置Ｂ２ａと、浴室外に設置した給湯装置２内蔵型の第二装置Ｂ２ｂとから構成してある。
【００３１】
前記第一装置Ｂ２ａは、前記第一実施形態で説明した浴室洗浄装置Ｂ１から、洗剤タンク４ａと、洗剤ポンプ４ｂとを除いた構成であり、前記第二装置Ｂ２ｂは、前記給湯装置２内に前記洗剤タンク４ａと洗剤ポンプ４ｂを内装した構成となっている。
【００３２】
第二実施形態の浴室洗浄装置Ｂ２によれば、前記洗剤タンク４ａへの洗剤の補給を、手の届きやすい低い位置で実施できるようになり、使い勝手が向上すると共に、浴室内に露出する第一装置Ｂ２ａを、洗剤タンク４ａと洗剤ポンプ４ｂとを除いた分、コンパクトに形成することが可能となり、浴室内の美観性の向上を図ることが可能となる。
【００３３】
〔別実施形態〕
以下に他の実施の形態を説明する。
【００３４】
〈１〉  浴室洗浄装置は、先の実施形態で説明した壁設置タイプのものに限るものではなく、例えば、図５に示すように、天井部分に設置するように構成することも可能である。更には、図６に示すように、浴室に臨む部分には、散水ノズル３ｂ、洗剤ノズル４ｃ、対流用吸気口１２、対流用排気口１３のみの最小限の構成を配置し、浴室洗浄装置Ｂ３の本体は、浴室Ｒ外に設置するといった構成をとってもよい。この場合、浴室内に露出する部分を減少させて、より美観性の向上を図ることが可能となる。
また、散水手段３、及び、洗剤噴霧手段４、送風機５それぞれを別体構成として設けるものであってもよく、要するに、少なくとも、散水手段３と、洗剤噴霧手段４と、送風機５と、それらを制御する制御手段７とを設けてあればよい。
〈２〉  散水手段３は、先の実施形態で説明した制御バルブ３ａと散水ノズル３ｂとの組み合わせによるものに限らず、例えば、水タンク３ｃと水ポンプ３ｄと散水ノズル３ｂとからなる構成をとることも可能である。この場合、水道本管の送水圧が低い場合であっても、浴室への散水は、前記水ポンプで実施されるから、所定の圧力をかけた状態で散水することが可能となり、安定した散水状態を維持することが可能となる。
また、散水手段３で送り出す水Ｗそのものを、予め加熱できるようにする構成をとることも可能で、その例としては、図８に示すように、前記給水配管９に替えて、給湯装置２から新たな給湯配管９ａを設けるものがあげられる。この場合、給湯装置２が、水加温手段６Ｃに相当する。また、別の例としては、図７に示すように、散水手段３を水タンク３ｃと水ポンプ３ｄと散水ノズル３ｂとで構成し、前記水タンク３ｃ内にヒータ１４を備えることで、水を加温するものである。この場合、前記ヒータ１４が水加温手段６Ｃに相当する。
そして、前記給湯装置２、又は、ヒータ１４の運転制御は、前記制御手段７によって実施される。
〈３〉  送風機５は、先の実施形態で説明したに遠心式のものに限るものではなく、軸流式のもの、又は、公知の他形式のものを使用することも可能である。それらを総称して送風機という。
また、温風加温手段６Ａは、先の実施形態で説明した温水コイル６ａに限るものではなく、例えば、送風路中にヒータ等の加温装置を設置するものであってもよい。それらを総称して、温風加温手段という。
〈４〉  洗剤加温手段６Ｂは、先の実施形態で説明した温水コイル６ａに限るものではなく、例えば、洗剤タンク内にヒータ１５を備えることで、洗剤Ｓを加温できるように構成してあってもよい（図９参照）。この場合、ヒータ１５の運転制御は、前記制御手段７によって実施される。
〈５〉  昇温手段６は、先の実施形態で説明した温風加温手段６Ａと洗剤加温手段６Ｂの両方を備えたものに限るものではなく、例えば、温風加温手段６Ａ・洗剤加温手段６Ｂ・水加温手段６Ｃの内の何れか一つで構成してあってもよく、又は、温風加温手段６Ａ・洗剤加温手段６Ｂ・水加温手段６Ｃの内の二つ以上の組み合わせによって構成してあってもよい。
また、昇温手段は、浴室内空部を暖めて温度上昇を図るもの以外に、例えば、浴室壁・浴室床・浴室天井等を直接的に暖める手段（温水配管や電熱線の埋設による加熱等）を採用するものであってもよい。
以上を含めて昇温手段と総称する。
〈６〉  散水ノズル３ｂ、及び、洗剤ノズル４ｃは、先の実施形態では、各別に設けたものを説明したが、両者を兼用化させることも可能で、この場合には、ノズルに通ずる水流路と洗剤流路とを切替自在な切替バルブを設け、散水行程、洗剤噴霧行程それぞれについて、制御手段７で前記切替バルブの切換操作をできるように構成することで、容易に実施することができる。
また、ノズルは、流体の噴射方向を一定方向に設定してあるもの以外に、例えば、首振り機構を設けて、噴射方向を変更できるように構成するものであれば、より確実に広範囲に流体を噴射することが可能となる。
〈７〉  当該浴室洗浄装置を使用した浴室洗浄は、先に説明した作業手順による洗浄運転のみを実施するものに限定されるものではなく、例えば、送風行程・散水行程・洗剤噴霧行程・濯ぎ行程・乾燥行程等の所要時間や、回数等を、適宜変更することが可能である。
また、送風に関しては、温風を送る物に限らず、単に浴室内の空気を循環させるものであってもよい。更には、前記制御手段による送風のタイミングは、散水や洗剤噴霧の前から送風を実施するものに限らず、例えば、散水や洗剤噴霧の最中、又は、散水や洗剤噴霧の直後で、水や洗剤が浴室内に浮遊している状態の時に開始してもよく、又、送風そのものは、同じ強さで継続して実施するもの以外に、送風強さを大小変化させたり、断続的に送風したり、また、それらを組み合わせたりするものであってもよく、そうすることで、より複雑な対流を浴室内に発生させて、隅々まで水や洗剤を行き渡らせることが可能となる。
【図面の簡単な説明】
【図１】浴室を示す側面視断面図
【図２】浴室洗浄装置を示す概念図
【図３】浴室洗浄装置の動作を示すフローチャート
【図４】別実施形態の浴室洗浄装置を示す概念図
【図５】別実施形態の浴室洗浄装置を示す概念図
【図６】別実施形態の浴室洗浄装置を示す概念図
【図７】散水手段を示す概念図
【図８】別実施形態の浴室洗浄装置を示す概念図
【図９】洗剤噴霧手段を示す概念図
【符号の説明】
３      散水手段
４      洗剤噴霧手段
５      送風機
６      昇温手段
６Ａ    温風加温手段
６Ｂ    洗剤加温手段
６Ｃ    水加温手段
７      制御手段
Ｒ      浴室
Ｓ      洗浄用洗剤
【図１】
0004067255.tif 000002
【図２】
0004067255.tif 000003
【図３】
0004067255.tif 000004
【図４】
0004067255.tif 000005
【図５】
0004067255.tif 000006
【図６】
0004067255.tif 000007
【図７】
0004067255.tif 000008
【図８】
0004067255.tif 000009
【図９】
0004067255.tif 000010